(57)【要約】【課題】室外機の電装品箱の発熱部品を効果的に冷却できるようにする。【解決手段】筐体１０の右側面板１４に外気取入口１４ｂが形成され、外気取入口１４ｂと電装品箱８０の間に、コンプレッサ４０の上方に位置するように送風ガイド手段１１０が配置される。送風ガイド手段１１０は、外気取入口１４ｂに外気を取り込むよう取り付けられた送風ガイド板６０と、配線を接続するための端子板７１が上面に取り付けられ下面が送風ガイド板６０の送風ガイド部６２に対向する端子台７０とで構成される。電装品箱８０は、プロペラファン３０が回転することにより、外気取入口１４ｂから取り込まれ送風ガイド手段１１０と電装品箱８０の内部を経由して熱交換器室１０Ａに排出される外気によってその冷却される。【選択図】図１
2019045014.tif 000002
【特許請求の範囲】
【請求項１】
熱交換器と送風ファンが配置された熱交換器室とコンプレッサと配管が配置されたコンプレッサ室とが隔壁によって区画された筐体を有し、前記隔壁の上部と前記筐体の天面板の下面との間に電装品箱が配置された空気調和機の室外機において、
前記筐体の前記コンプレッサ室の側の側面板に外気取入口が形成され、該外気取入口と前記電装品箱の間に、前記コンプレッサの上方に位置し且つ前記コンプレッサ側が閉じるように送風ガイド手段が配置され、
該送風ガイド手段は、前記外気取入口に外気を取り込むよう取り付けられた送風ガイド板と、上面に配線を接続するための端子板が取り付けられ下面が前記送風ガイド板の一部に対向する端子台とで構成されていることを特徴とする空気調和機の室外機。
【請求項２】
請求項１に記載の空気調和機の室外機において、
前記送風ガイド手段は、前記側面板の前記コンプレッサ室の側において、前記側面板の前記コンプレッサ室の側から上方向に傾斜して立ち上がるように配置されていることを特徴とする空気調和機の室外機。
【請求項３】
請求項１又は２に記載の空気調和機の室外機において、
前記送風ガイド板は、前記側面板の前記外気取入口の内側に取り付けられる外気取入部と、該外気取入部から前記電装品箱の近傍まで伸びる送風ガイド部とを有することを特徴とする空気調和機の室外機。
【請求項４】
請求項３に記載の空気調和機の室外機において、
前記端子台は、前記コンプレッサ室の側の前記側面板に形成された配線接続口から前記端子板が前記室外機の外部に露出するように前記端子板が前記上面に取り付けられ、前記下面が前記送風ガイド板の前記送風ガイド部に所定の距離を隔てて対向していることを特徴とする空気調和機の室外機。
【発明の詳細な説明】
【技術分野】
【０００１】
本発明は、外気を取り込んで電装品箱の発熱部品の冷却を行うようにした空気調和機の室外機に関する。
【背景技術】
【０００２】
空気調和機の室外機に外気を取り込んで電装品箱の発熱部品の冷却を行う場合、従来では、筐体の側面板に外気取入口を設け、熱交換器に外気を通風するためのプロペラファンの回転により、その外気取入口から外気を内部に取り込み発熱部品を冷却していた。このため、外気取入口から電装品箱に至る経路にコンプレッサが配置されているときは、取り込まれた外気が、冷却対象である発熱部品に到達する前にコンプレッサの熱を受けて上昇し、冷却効果が低下していた。
【０００３】
また、コンプレッサの回転騒音を低減させるためにコンプレッサの周囲を吸音材で囲む場合があり、この場合は、組立作業のバラツキ等によって外気取入口がその吸音材で塞がれると冷却効果を発揮できない場合があり、吸音材の大きさが制約されていた。
【０００４】
そこで、図４、図５に示すように、筐体１を、図示しない熱交換器とプロペラファン２が配置される熱交換器室１Ａと、コンプレッサ３と図示しない配管が配置されるコンプレッサ室１Ｂとに、隔壁４によって区画し、その隔壁４の上部に電装品箱５を配置した室外機において、筐体１の右側面板１ａの開口部１ａ１に、外部パネル６を取り付けて、その外部パネル６の吸気口６ａから、外側風路６Ａ、内側風路６Ｂ、電装品箱５を経由して熱交換器室１Ａに向けて外気が流れる空気流通路を形成し、その外気によって電装品箱５の発熱部品を冷却することが行われていた（特許文献１）。
【先行技術文献】
【特許文献】
【０００５】
【特許文献１】特許第４３９１３６８号公報
【発明の概要】
【発明が解決しようとする課題】
【０００６】
ところが、この室外機では、筐体１の右側面板１ａの開口部１ａ１の外側に特別に外部パネル６を取り付ける必要があり、しかも配線を接続するための端子板７への配線作業時にはその外部パネル６を取り外す必要がある。また、内側風路６Ｂから開口部１ａ１を経由して電装品箱５に至る通風路の途中に端子板７が配置されており、その端子板７およびそこに接続される配線で大きな通風抵抗が発生して、冷却効果が不十分となる。
【０００７】
本発明の目的は、電装品箱の発熱部品を効果的に冷却できるようにした空気調和機の室外機を提供することである。
【課題を解決するための手段】
【０００８】
上記目的を達成するために、請求項１にかかる発明は、熱交換器と送風ファンが配置された熱交換器室とコンプレッサと配管が配置されたコンプレッサ室とが隔壁によって区画された筐体を有し、前記隔壁の上部と前記筐体の天面板の下面との間に電装品箱が配置された空気調和機の室外機において、前記筐体の前記コンプレッサ室の側の側面板に外気取入口が形成され、該外気取入口と前記電装品箱の間に、前記コンプレッサの上方に位置し且つ前記コンプレッサ側が閉じるように送風ガイド手段が配置され、該送風ガイド手段は、前記外気取入口に外気を取り込むよう取り付けられた送風ガイド板と、上面に配線を接続するための端子板が取り付けられ下面が前記送風ガイド板の一部に対向する端子台とで構成されていることを特徴とする。
請求項２にかかる発明は、請求項１に記載の空気調和機の室外機において、前記送風ガイド手段は、前記側面板の前記コンプレッサ室の側において、前記側面板の前記コンプレッサ室の側から上方向に傾斜して立ち上がるように配置されていることを特徴とする。
請求項３にかかる発明は、請求項１又は２に記載の空気調和機の室外機において、前記送風ガイド板は、前記側面板の前記外気取入口の内側に取り付けられる外気取入部と、該外気取入部から前記電装品箱の近傍まで伸びる送風ガイド部とを有することを特徴とする。
請求項４にかかる発明は、請求項３に記載の空気調和機の室外機において、前記端子台は、前記コンプレッサ室の側の前記側面板に形成された配線接続口から前記端子板が前記室外機の外部に露出するように前記端子板が前記上面に取り付けられ、前記下面が前記送風ガイド板の前記送風ガイド部に所定の距離を隔てて対向していることを特徴とする。
【発明の効果】
【０００９】
本発明によれば、送風ガイド手段は、外気取入口と電装品箱の間に、コンプレッサの上方に位置し且つコンプレッサ側が閉じるように送風ガイド手段が配置されており、しかもその送風ガイド手段は、外気取入口に外気を取り込むよう取り付けられた送風ガイド板と、上面に配線を接続するための端子板が取り付けられ下面が前記送風ガイド板の一部に対向する端子台とで構成されているので、外気取入口から送風ガイド手段に取り入れられた外気は、コンプレッサの熱の影響を大きく受けること無く、また端子板や配線による送風抵抗を受けることなく、電装品箱にガイドされるので、電装品箱内の発熱部品を効果的に冷却することができる。
【図面の簡単な説明】
【００１０】
【図１】本発明の実施例の室外機の前面パネルと熱交換器を取り外した状態の斜視図である。
【図２】本発明の実施例の室外機の前面パネルと熱交換器と吸音材を取り外した状態の斜視図である。
【図３】本発明の実施例の室外機の右側面板の部分の斜視図であり、（ａ）は外気取入口を図示しない斜視図、（ｂ）は外気取入口を図示した斜視図である。
【図４】従来の室外機の前面パネルと熱交換器を取り外した状態の概略正面図である。
【図５】従来の室外機の右側部分の概略拡大図である。
【発明を実施するための形態】
【００１１】
図１〜図３に本発明の実施例の室外機を示す。１０は筐体であり、図示しない正面板、天面板１１、底面板１２、左側面板１３、右側面板１４、及び背面板１５を備えている。そして、その筐体１０の内部は、隔壁２０によって熱交換器室１０Ａとコンプレッサ室１０Ｂとに区画されている。熱交換器室１０Ａには、背面板１５の内側に図示しない熱交換器が配置され、図示しない正面板の内側に送風ファンであるプロペラファン３０が配置されている。コンプレッサ室１０Ｂには、コンプレッサ４０、配管５０、送風ガイド板６０、端子台７０が配置されている。また、隔壁２０の上部と天面板１１の裏面の間には電装品箱８０が配置されている。９０は右側面板１４の下部に設けられた配管接続部５１を外部から保護するための配管カバーである。１００は吸音材であり、コンプレッサ４０を囲むように図示しない正面板の内側から右側面板１４の内側に亘って配置されている。コンプレッサ室１０Ｂの側の側面板は、右側板１４で実現されている。
【００１２】
電装品箱８０は、熱交換器室１０Ａの側に通風開口８２が形成され、コンプレッサ室１０Ｂの側にも通風開口８１が形成されている。
【００１３】
筐体１０の右側面板１４には、図３に示すように、その上部に、端子台７０の上面に取り付けられる端子板７１を室外機の外部に露出させるための配線接続口１４ａが形成され、上下方向の中間部に、虫やゴミ等の侵入を防ぐために高さが低く横幅が広い複数個の長孔を上下方向に並べて配置した外気取入口１４ｂが形成され、下部に、前記した配管接続部５１を配置するための配管接続口１４ｃが形成されている。この配管接続口１４ｃが配管カバー９０によって覆われる。
【００１４】
送風ガイド板６０は、外気取入部６１とその外気取入部６１に連続して斜め上方向に伸びる送風ガイド部６２からなる。外気取入部６１は、第１壁６１ａ、第２壁６１ｂ、及び第３壁６１ｃと、第１壁６１ａに連続する第１取付片６１ｄ、第２壁６１ｂに連続する第２取付片６１ｅ、及び第３壁６１ｃに連続する第３取付片６１ｆとを備える。そして、この送風ガイド板６０は、外気取入部６１の第１壁６１ａ、第２壁６１ｂ、及び第３壁６１ｃにより外気取入口１４ｂの左側と右側と下側の内側を囲むように、第１取付片６１ｄ、第２取付片６１ｅ、第３取付片６１ｆによって、右側面板１４の内側に取り付けられている。送風ガイド部６２は、第１壁６２ａと第２壁６２ｂが下面部６２ｃの両側から起立するように形成され、その全体が外気取入部６１から傾斜して上方向に立ち上がるようになっている。
【００１５】
端子台７０は、上面７０ａに上記したように端子板７１が取り付けられ、下面７０ｂが送風ガイド板６０の送風ガイド部６２に対して所定の距離を隔てて平行に対向するように、全体が右側面板１４に対して斜めになるように取り付けられている。このため、端子台７０の上面７０ａの端子台７１は、配線接続口１４ａから斜め上向きで室外機の外部に現れていて、そこへの配線の接続作業が容易となるようになっている。
【００１６】
そして、この端子台７０と前記した送風ガイド板６０によって、送風ガイド手段１１０が構成されている。
【００１７】
上記のように送風ガイド板６０を取り付けると、プロペラファン３０が回転することによって、右側面板１４の外気取入口１４ｂから外気が取り込まれる。その外気は、送風ガイド板６０の外気取入部６１と送風ガイド部６２を経由して、電装品箱８０のコンプレッサ室１０Ｂ側の通風開口８１に流入し、電装品箱８０内の発熱部品を冷却した後に、電装品箱８０の熱交換器室１０Ａ側の通風開口８２から熱交換器室１０Ａに排出される。
【００１８】
このとき、送風ガイド板６０の送風ガイド部６２の下面板６２ｃは、斜め配置の端子台７０の下面７０ｂに、電装品箱８０内の発熱部品を冷却するのに十分な流量の外気が通過できる通風路が形成されるような距離を隔てて対向しているので、端子台７０のその下面７０ｂによっても外気がガイドされる。しかも端子板７１やその端子板７１に接続される配線は、端子台７０の上面７０ａの側に位置するため、その外気の流れに影響を与えることはない。よって、その外気を効率よく電装品箱８０に送り込むことができる。
【００１９】
また、送風ガイド板６０と端子台７０からなる送風ガイド手段１１０は、コンプレッサ４０の上方に位置し且つそのコンプレッサ４０を向く側が送風ガイド板６０によって閉じるように配置されているので、その送風ガイド手段１１０を通過する空気がコンプレッサ室１０Ｂの空気の影響を大きく受けることはない。このため、右側面板１４の上下方向の中央部分の外気取入口１４ｂから取り込んだ外気の大部分を、コンプレッサ３０が発生する熱の影響を受けることなく、電装品箱８０に送り込むことができる。
【００２０】
さらに、送風ガイド板６０の外気取入部６１は、右側面板１４の外気取入口１４ｂの内側の左右と下の部分を閉じるので、騒音吸収用の吸音材１００でコンプレッサ４０を囲む際に、その吸音材１００が送風ガイド板６０の外気取入部６１に当接しあるいは近接しても、その吸音材１００で外気取入口１４ｂが塞がれる事態が発生することはない。このため、吸音材１００として大きなサイズのものを使用することができる。
【００２１】
なお、以上の実施例では、右側面板１４の内側にコンプレッサ室１０Ｂを配置したので、右側面板１４の側に送風ガイド板６０、端子台７０、配管カバー９０等を取り付けたが、左側面板１３の内側にコンプレッサ室１０Ｂが配置される場合は、それら送風ガイド板６０、端子台８０、配管カバー９０等は左側面板１３の側に取り付けられる。つまり、送風ガイド板６０、端子台８０、配管カバー９０等は、左右いずれかの側面板の側にまとめられた状態で取り付けられる。
【符号の説明】
【００２２】
１０：筐体、１１：天面板、１２：底面板、１３：左側面板、１４：右側面板、１４ａ：配線接続口、１４ｂ：外気取入口、１４ｃ：配管接続口、１５：背面板
２０：隔壁
３０：プロペラファン
４０：コンプレッサ
５０：配管、５１：配管接続部
６０：送風ガイド板、６１：外気取入部、６２：送風ガイド部
７０：端子台、７１：端子板
８０：電装品箱、８１，８２：通風開口
９０：配管カバー
１００：吸音材
１１０：送風ガイド手段
【図１】
2019045014.tif 000003
【図２】
2019045014.tif 000004
【図３】
2019045014.tif 000005
【図４】
2019045014.tif 000006
【図５】
2019045014.tif 000007